(57)【特許請求の範囲】
【請求項１】
光を発光する発光手段と、
前記発光手段から発光されて基準板に反射した反射光を受光する受光手段と、
前記受光手段からの受光開始信号の間隔が複数あるライン周期のうち順次ライン周期を設定するライン周期設定手段と、
前記ライン周期設定手段により設定されたライン周期において前記受光手段により受光した受光量に基づいて輝度を算出する輝度算出手段と、
前記発光手段により発光する光の基準となる光量である複数の基準光量を記憶する記憶手段と、
前記ライン周期のうち、最大のライン周期から順番にライン周期ごとに、前記記憶手段に記憶された前記基準光量の初期値から順次増加させながら前記発光手段に発光させ、前記輝度算出手段により算出された輝度が所定範囲内となる前記基準光量を特定し、前記特定された基準光量を、前回のライン周期よりも短い次回のライン周期における基準光量の初期値として前記記憶手段に記憶させる第１の光量設定手段、
または前記ライン周期のうち、最小のライン周期から順番にライン周期ごとに、前記記憶手段に記憶された前記基準光量の初期値から順次減少させながら前記発光手段に発光させ、前記輝度算出手段により算出された輝度が所定範囲内となる前記基準光量を特定し、前記特定された基準光量を、前回のライン周期よりも長い次回のライン周期における基準光量の初期値として前記記憶手段に記憶させる第２の光量設定手段
を備えたことを特徴とする画像読取り装置。
【発明の詳細な説明】
【技術分野】
【０００１】
本発明は、ライン周期ごとの適切な光量を迅速に決定する画像読取り装置に関する。
【背景技術】
【０００２】
画像読み取り装置は、光を照射する発光素子と、反射光を受光する受光素子と、濃度基準板とを備え、例えば電源をオンしたときなどに、発光素子が濃度基準板に対して光を照射し、その反射光を受光素子により受光し、その受光量に基づいて発光素子が照射する光の光量を調整する。
【０００３】
ここで、画像読取り装置では、解像度など画像読み取り設定が複数ある場合、その画像読み取り設定ごとにライン周期が異なり、このライン周期毎に適切な光量となるように発光素子を設定する必要がある。ここでライン周期とは、ライン毎に原稿を読み取る際の読み取り間隔のことである。ライン周期が長い場合には少ない光量でも適切に画像を読み取ることが可能であるが、ライン周期が短い場合、適切に画像を読み取るためには光量を多くする必要がある。
【０００４】
そのため、適切に画像を読み取るためには、例えば電源投入時などにおいて、画像読み取り設定ごと、すなわちライン周期毎の適切な光量を設定しておく必要がある。
【０００５】
特許文献１には、読み取り対象である紙幣ＢＬの搬送速度を検出し、この紙幣ＢＬの搬送速度に応じて発光素子の発光量を補正する紙葉類識別装置が提案されている。
【先行技術文献】
【特許文献】
【０００６】
【特許文献１】特開２０１３−７３２８６号公報
【発明の概要】
【発明が解決しようとする課題】
【０００７】
しかしながら、上述の紙葉類識別装置では、紙幣ＢＬの搬送速度に応じて発光素子の発光量を補正する際、どの程度補正するのかを決定する必要がある。
【０００８】
例えば、ライン周期毎に、ある発光量で発光素子から光を照射し、反射光を受光素子で受光し、この受光量に基づいて輝度を算出し、算出した輝度が所定範囲内となるように発光素子の発光量を決定することが考えられる。
【０００９】
この場合、あるライン周期においてある発光量で発光素子から光を照射したときの輝度が所定範囲内とならない場合、発光量を変化させていき、所定範囲内となるような適切な発光量を決定する。
【００１０】
そのため、ライン周期ごとに、発光量の変化、受光量の測定、輝度の算出を繰り返すことにより、所定範囲内となるような適切な発光量を決定する動作を行うので、全てのライン周期において適切な光量を決定するまでに相当な時間を要していた。
【００１１】
本発明は、このような課題に鑑みてなされたものであり、ライン周期ごとの適切な光量を迅速に決定する画像読取り装置を提供することを目的とする。
【課題を解決するための手段】
【００１２】
上記目的を達成するため、本発明に係る画像読取り装置の第１の特徴は、
光を発光する発光手段と、
前記発光手段から発光されて基準板に反射した反射光を受光する受光手段と、
前記受光手段からの受光開始信号の間隔が複数あるライン周期のうち順次ライン周期を設定するライン周期設定手段と、
前記ライン周期設定手段により設定されたライン周期において前記受光手段により受光した受光量に基づいて輝度を算出する輝度算出手段と、
前記発光手段により発光する光の基準となる光量である複数の基準光量を記憶する記憶手段と、
前記ライン周期ごとに、前記記憶手段に記憶された前記基準光量の初期値から順次前記発光手段に発光させ、前記輝度算出手段により算出された輝度が所定範囲内となるような前記基準光量を特定し、前記特定された基準光量を次回のライン周期における基準光量の初期値として前記記憶部に記憶させる光量設定手段と、
を備えたことにある。
【発明の効果】
【００１３】
本発明に係る画像読取り装置の第１の特徴によれば、光量設定手段が、ライン周期ごとに、記憶手段に記憶された基準光量の初期値から順次発光手段に発光させ、輝度算出手段により算出された輝度が所定範囲内となるような基準光量を特定し、特定された基準光量を次回のライン周期における基準光量の初期値として記憶手段に記憶させるので、あるライン周期において発光手段の光量を設定すると、他のライン周期では、設定した光量を基準光量として輝度を算出し、算出された輝度が所定範囲内となるか否かを判定すればよいので、従来技術と比較して処理を一部省略でき、その分迅速にライン周期ごとの適切な光量を決定することができる。
【図面の簡単な説明】
【００１４】
【図１】本発明に係る実施例の画像読取り装置の構成図である。
【図２】本発明に係る実施例の画像読取り装置１の処理内容を示したフローチャートである。
【図３】本発明に係る実施例の画像読取り装置１における輝度算出部の判定を説明した説明図である。（ａ）は初期設定値であるライン周期４００（μｓ）において、主走査方向に一列に配列された受光素子の受光量に基づいて算出された輝度を示している。（ｂ）は、ライン周期３００（μｓ）において、主走査方向に一列に配列された受光素子の受光量に基づいて算出された輝度を示している。（ｃ）は、ライン周期２００（μｓ）において、主走査方向に一列に配列された受光素子の受光量に基づいて算出された輝度を示している。
【図４】本発明に係る実施例の画像読取り装置１の効果を示した図である。（ａ）は比較のため従来技術における発光素子の光量の決定時間を示した図であり、（ｂ）は本発明に係る実施例の画像読取り装置における発光素子の光量の決定時間を示した図である。
【発明を実施するための形態】
【００１５】
以下、本発明に係る実施例の画像読取り装置について説明する。なお、以下に示す各実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１６】
（画像読取り装置の構成）
図１は、本発明に係る実施例の画像読取り装置の構成図である。
【００１７】
図１に示すように、本発明に係る実施例の画像読取り装置１は、プラテン２００と、読み取り部１００と、制御部１０とを備えている。
【００１８】
プラテン２００には、光量調整に用いられる白色の濃度基準板２０１と、原稿を読み取る際に用いられる無色透明の原稿読み取りグラス２０２とが設けられている。
【００１９】
プラテン２００の下方には、読み取り部１００が設けられている。
【００２０】
読み取り部１００は、プラテン２０に沿って副走査方向（Ｘ１−Ｘ２方向）に移動自在に図示しないガイドレールに支持されたキャリッジ１０３を有している。キャリッジ１０３は、光を発光する発光素子１０１と、反射板１０２とを有しており、光量調整を行う際には、発光素子１０１から発光される光が濃度基準板２０１に反射されるように濃度基準板２０１の下方に位置する。また、原稿を読み取る際には、発光素子１０１から発光される光が原稿読み取りグラス２０２に載置された原稿に反射されるように原稿読み取りグラス２０２の下方に位置し、副走査方向に１ライン毎に移動しながら原稿を読み取る。
【００２１】
また、反射光の光路上には、反射板１０４，１０５とが設けられており、反射光はそれぞれの反射板で反射されて、集光レンズ１０６に入射される。
【００２２】
そして集光レンズ１０６で集光された反射光は受光部１０８が備える受光素子１０７で受光される。
【００２３】
これら発光素子１０１および受光素子１０７は、主走査方向（副走査方向と直行する方向であって、紙面の手前―奥行き方向）に整列してそれぞれ複数設けられており、一斉に発光素子１０１から発光し、それぞれ発光されて反射された反射光を受光素子１０７により受光することができる。
【００２４】
制御部１０は、ライン周期設定部１１と、輝度算出部１２と、光量設定部１３と、記憶部１４とを備えている。
【００２５】
ライン周期設定部１１は、受光開始信号の間隔が複数あるライン周期のうち順次ライン周期を設定する。
【００２６】
輝度算出部１２は、ライン周期設定部１１により設定されたライン周期において受光素子により受光した反射光の受光量に基づいて輝度を算出する。
【００２７】
光量設定部１３は、ライン周期ごとに、記憶部１４に記憶された基準光量の初期値から順次発光素子１０１に発光させ、輝度算出部１２により算出された輝度が所定範囲内となるような基準光量を特定し、特定された基準光量を次回のライン周期における基準光量の初期値として記憶部１４に記憶させる。
【００２８】
記憶部１４は、発光素子１０１により発光する光の基準となる光量である複数の基準光量を記憶する。
【００２９】
（画像読取り装置の作用）
図２は、本発明に係る実施例の画像読取り装置１の処理内容を示したフローチャートである。
【００３０】
図２に示すように、画像読取り装置１の電源がオンされた場合、またはスリープモードから復帰した場合（ステップＳ１０１；ＹＥＳ）、初期化動作として、複数のライン周期毎に適切な光量となるような発光素子１０１の光量調整を行う必要がある。ここで、ライン周期は、上述したように、解像度など画像読み取り設定によって定められるライン毎に原稿を読み取る際の読み取り間隔のことである。
【００３１】
そこで、制御部１０のライン周期設定部１１は、複数のライン周期の中からあらかじめ決定されているライン周期の初期設定を行う（ステップＳ１０３）。ライン周期の初期設定値は、記憶部１４に記憶されている。例えば、ライン周期として、設定可能な４００（μｓ）、３００（μｓ）、２００（μｓ）の中から、予め定められた最も長い４００（μｓ）を、ライン周期の初期設定値として設定する。
【００３２】
次に、光量設定部１３は、記憶部１４から基準光量を読み出す（ステップＳ１０５）。ここで、例えば、基準光量として、４０（％）、５０（％）、６０（％）、７０（％）、８０（％）が設定可能であり、基準光量の初期値として最も低い４０（％）が記憶されている場合、光量設定部１３は、記憶された４０（％）を基準光量として読み出す。また後述するように、基準光量が更新された場合は、更新された基準光量を読み出す。
【００３３】
輝度算出部１２は、ライン周期設定部１１により設定されたライン周期において、受光素子１０７により受光した反射光の受光量に基づいて輝度を算出する（ステップＳ１０７）。
【００３４】
次に、光量設定部１３は、輝度閾値を超えた受光素子の割合が所定範囲内であるか否かを判定する（ステップＳ１０９）。
【００３５】
図３は、本発明に係る実施例の画像読取り装置１における輝度算出部１２の判定を説明した説明図である。図３（ａ）は初期設定値であるライン周期４００（μｓ）において、主走査方向に一列に配列された受光素子１０７の受光量に基づいて算出された輝度を示している。
【００３６】
ここでは、基準光量の初期値として４０（％）が記憶されているので、図３（ａ）に示すように、光量設定部１３は、発光素子１０１の光量（出力）を４０（％）としたときの輝度３０１が、輝度閾値３００を超えた受光素子の割合を算出する。図３（ａ）に示した輝度３０１は輝度閾値３００を超えていないので、輝度閾値を超えた受光素子の割合は０（％）であり、所定範囲内ではないと判定する。ここで、所定範囲とは、主走査方向１ラインにおいて、適切に画像読み取りが可能な輝度となる範囲であり、例えば、予め５０（％）〜７０（％）と設定されている。すなわち、輝度閾値を超えた受光素子の割合が５０（％）未満であると、主走査方向１ライン全体の光量が少なすぎ、原稿を読み取った画像が暗い画像となってしまう。一方、輝度閾値を超えた受光素子の割合が７０（％）を超えると、主走査方向１ライン全体の光量が多すぎ、原稿を読み取った画像の色が不明瞭となる場合がある。そこで、予め適切に画像読み取りが可能な輝度となるように範囲設定しておく必要がある。
【００３７】
輝度閾値を超えた受光素子の割合が所定範囲内ではないと判定された場合（ステップＳ１０９；ＮＯ）、発光素子１０１の光量（出力）が４０（％）では暗すぎるということであるので、光量設定部１３は、光量を１段階増加させる（ステップＳ１１１）。図３（ａ）に示した例では、４０（％）を５０（％）と１０（％）単位で増加させている。
【００３８】
そして、処理をステップＳ１０７に戻し、再度、１段階増加させた光量で発光素子１０１に発光させ、輝度算出部１２が、受光素子１０７により受光した反射光の受光量に基づいて輝度を算出し（ステップＳ１０７）、光量設定部１３が、輝度閾値を超えた受光素子の割合が所定範囲内であるか否かを判定する（ステップＳ１０９）。
【００３９】
図３（ａ）に示した例では、発光素子１０１の光量（出力）が５０（％）でも暗すぎ、６０（％）となったときの輝度３０２において、主走査方向の受光素子全体数Ｌ１に対する輝度閾値３００を超えた受光素子の数Ｌ２が、所定範囲内（５０（％）〜７０（％））となっている。そこで、光量設定部１３は、発光素子１０１の光量（出力）が６０（％）のときに、輝度閾値を超えた受光素子の割合が所定範囲内であると判定する（ステップＳ１０９；ＹＥＳ）。
【００４０】
光量設定部１３は、輝度閾値を超えた受光素子の割合が所定範囲内であると判定されると（ステップＳ１０９；ＹＥＳ）、光量設定部１３は、設定した光量を新たな基準光量として記憶部１４の基準光量を更新する（ステップＳ１１３）。図３（ａ）に示した例では、発光素子１０１の光量（出力）６０（％）を基準光量として記憶する。
【００４１】
次に、光量設定部１３は、設定可能なライン周期である４００（μｓ）、３００（μｓ）、２００（μｓ）のうち、全てのライン周期について、光量を決定したか否かを判定する（ステップＳ１１５）。
【００４２】
全てのライン周期について光量を決定していないと判定された場合（ステップＳ１１５；ＮＯ）、光量設定部１３は、ライン周期を短縮する（ステップＳ１１７）。例えば、現在設定されているライン周期が４００（μｓ）であれば３００（μｓ）と設定し、３００（μｓ）であれば２００（μｓ）と設定する。
【００４３】
そして、処理をステップＳ１０５へ移行し、光量設定部１３が、記憶部１４から基準光量を読み出し（ステップＳ１０５）、その後、ステップＳ１０７〜Ｓ１１７の処理を実行する。このとき、ステップＳ１１３において基準光量が更新されているので、ステップＳ１１７におけるライン周期の短縮後は以前のライン周期における光量を基準光量として輝度閾値を超えた受光素子の割合が所定範囲内である光量を決定することができる。そのため、その分短時間で光量を決定することができる。
【００４４】
図３（ｂ）は、ライン周期３００（μｓ）において、主走査方向に一列に配列された受光素子１０７の受光量に基づいて算出された輝度を示している。
【００４５】
ここでは、基準光量の初期値として６０（％）が記憶されているので、図３（ｂ）に示すように、光量設定部１３は、発光素子１０１の光量（出力）を４０（％）としたときの輝度３１１および５０（％）としたときの輝度３１２とを算出することなく、６０（％）としたときの輝度３１３を算出し、この輝度３１３が輝度閾値３００を超えた受光素子の割合を算出する。図３（ｂ）に示した輝度３１３は輝度閾値３００を超えていないので、輝度閾値を超えた受光素子の割合は０（％）であり、所定範囲内ではないと判定する。
【００４６】
次に、発光素子１０１の光量（出力）を７０（％）としたときの輝度３１４を算出する。輝度３１４の主走査方向の受光素子全体数Ｌ１に対する輝度閾値３００を超えた受光素子の数Ｌ２が、所定範囲内（５０（％）〜７０（％））となっているので、光量設定部１３は、輝度閾値を超えた受光素子の割合が所定範囲内であると判定する。そして、光量設定部１３は、発光素子１０１の光量（出力）７０（％）を基準光量として記憶する。
【００４７】
このように、光量設定部１３が記憶部１４から基準光量を読み出し、読み出した基準光量を変化させることにより、輝度算出部１２により算出された輝度が所定範囲内となるように発光素子１０１の光量を設定する。そのため、ライン周期が変更された後は、前回のライン周期における光量を基準光量として発光素子１０１の適切な光量を決定することできるので、短時間で光量を決定することができる。図３（ｂ）に示したライン周期が３００（μｓ）であるときの例では、光量設定部１３は、発光素子１０１の光量（出力）を４０（％）としたときの輝度３１１および５０（％）としたときの輝度３１２とを算出することがないので、その分早く光量を決定することができる。
【００４８】
さらに、光量設定部１３は、ライン周期３００（μｓ）における光量を決定すると、次に、ステップＳ１１５およびＳ１１７の処理により、ライン周期を２００（μｓ）と設定すると、記憶部１４から基準光量を読み出し（ステップＳ１０５）、その後、ステップＳ１０７〜Ｓ１１７の処理を実行する。
【００４９】
図３（ｃ）は、ライン周期２００（μｓ）において、主走査方向に一列に配列された受光素子１０７の受光量に基づいて算出された輝度を示している。
【００５０】
ここでは、基準光量の初期値として７０（％）が記憶されているので、図３（ｃ）に示すように、光量設定部１３は、発光素子１０１の光量（出力）を４０（％）としたときの輝度３２１、５０（％）としたときの輝度３２２、６０（％）としたときの輝度３２３については算出することなく、７０（％）としたときの輝度３２４を算出し、この輝度３２４が輝度閾値３００を超えた受光素子の割合を算出する。図３（ｃ）に示した輝度３２４は輝度閾値３００を超えていないので、輝度閾値を超えた受光素子の割合は０（％）であり、所定範囲内ではないと判定する。
【００５１】
次に、発光素子１０１の光量（出力）が８０（％）としたときの輝度３２５を算出し、輝度３２５の主走査方向の受光素子全体数Ｌ１に対する輝度閾値３００を超えた受光素子の数Ｌ４が、所定範囲内（５０（％）〜７０（％））となっているので、光量設定部１３は、輝度閾値を超えた受光素子の割合が所定範囲内であると判定する。
【００５２】
このように、図３（ｃ）に示したライン周期が２００（μｓ）であるときの例では、光量設定部１３は、発光素子１０１の光量（出力）を４０（％）、５０（％）、６０（％）としたときの輝度を算出することがないので、その分早く光量を算出することができる。
【００５３】
図２に戻り、光量設定部１３は、設定可能なライン周期である４００（μｓ）、３００（μｓ）、２００（μｓ）のうち、全てのライン周期について、光量を決定したと判定すると（ステップＳ１１５；ＹＥＳ）、記憶部１４に記憶された基準光量を初期値である４０（％）に戻しておく（ステップＳ１２１）。
【００５４】
図４は、本発明に係る実施例の画像読取り装置１の効果を示した図である。図４（ａ）は比較のため従来技術における発光素子の光量の決定時間を示した図であり、図４（ｂ）は本発明に係る実施例の画像読取り装置１における発光素子の光量の決定時間を示した図である。
【００５５】
図４（ａ）に示すように、従来技術では、ｔ１時点に電源がオンされると、まず基準光量を４０（％）として、４００（μｓ）のライン周期において、光量を変化させることにより適切な光量として６０（％）を決定する。
【００５６】
そして、ｔ２時点において、４００（μｓ）のライン周期における発光素子１０１の光量を決定すると、ｔ２時点から、基準光量を４０（％）として、３００（μｓ）のライン周期において、光量を変化させることにより適切な光量として７０（％）を決定する。そのため、基準光量が４０（％）、５０（％）、６０（％）、７０（％）それぞれのときの輝度を算出し、輝度閾値を超えた受光素子の割合が所定範囲内か否かを判定する必要があるので、３００（μｓ）のライン周期における発光素子１０１の光量を決定するまでｔ３時点まで時間を要することになる。
【００５７】
そして、ｔ３時点から、基準光量を４０（％）として、２００（μｓ）のライン周期において、光量を変化させることにより適切な光量として８０（％）を決定する。そのため、基準光量が４０（％）、５０（％）、６０（％）、７０（％）、８０（％）それぞれのときの輝度を算出し、輝度閾値を超えた受光素子の割合が所定範囲内か否かを判定する必要があるので、２００（μｓ）のライン周期における発光素子１０１の光量を決定するまでｔ４時点まで時間を要することになる。
【００５８】
一方、図４（ｂ）に示すように、本発明に係る実施例の画像読取り装置１では、ｔ１時点に電源がオンされると、まず基準光量を４０（％）として、４００（μｓ）のライン周期において、光量を変化させることにより適切な光量として６０（％）を決定するので、従来技術と同様に、４００（μｓ）のライン周期における発光素子１０１の光量を決定するまでｔ２時点まで時間を要することになる。
【００５９】
しかしながら、１つのライン周期における発光素子１０１の光量として６０（％）を決定すると、その後の計算処理を一部省略できるので、結果的に短時間で全てのライン周波数における発光素子１０１の光量を決定することができる。
【００６０】
具体的には、図４（ｂ）に示すように、ｔ２時点において、４００（μｓ）のライン周期における発光素子１０１の光量を決定すると、ｔ２時点から、基準光量を６０（％）として、３００（μｓ）のライン周期において、光量を変化させることにより適切な光量７０（％）を決定する。そのため、基準光量が４０（％）、５０（％）それぞれのときの輝度を算出し、輝度閾値を超えた受光素子の割合が所定範囲内か否かを判定する必要がないので、ｔ３時点より前のｔ５時点において、３００（μｓ）のライン周期における発光素子１０１の光量を決定することができる。
【００６１】
そして、ｔ５時点から、基準光量を７０（％）として、２００（μｓ）のライン周期において、光量を変化させることにより適切な光量８０（％）を決定する。そのため、基準光量が４０（％）、５０（％）、６０（％）それぞれのときの輝度を算出し、輝度閾値を超えた受光素子の割合が所定範囲内か否かを判定する必要がないので、ｔ４時点より前のｔ６時点において、２００（μｓ）のライン周期における発光素子１０１の光量を決定することができる。
【００６２】
以上のように、本発明に係る実施例の画像読取り装置１によれば、光量設定部１３が、ライン周期設定部１１により順次選択されるライン周期ごとに、記憶部１４に記憶された基準光量の初期値から順次発光素子１０１に発光させ、輝度算出部１２により算出された輝度が所定範囲内となるような基準光量を特定し、特定された基準光量を次回のライン周期における基準光量の初期値として記憶部１４に記憶させるので、あるライン周期において発光素子１０１の光量を設定すると、他のライン周期では、設定した光量を基準光量として輝度を算出し、輝度閾値を超えた受光素子の割合が所定範囲内か否かを判定すればよいので、計算処理を一部省略でき、その分迅速にライン周期ごとの適切な光量を決定することができる。
【００６３】
なお、図２に示したフローチャートでは、ステップＳ１０３において、ライン周期として、設定可能な４００（μｓ）、３００（μｓ）、２００（μｓ）の中から、予め定められた最も長い４００（μｓ）を、ライン周期の初期設定値として設定した。そして、ステップＳ１１７において、ライン周期を順次短くし、ステップＳ１１１において、それぞれのライン周期において、光量を増加させることにより適切な光量を決定した。
【００６４】
そのため、上述した例では、まず４００（μｓ）のライン周期における発光素子１０１の光量が決定され、その後、３００（μｓ）のライン周期における発光素子１０１の光量、２００（μｓ）のライン周期における発光素子１０１の光量の順に決定されることになる。
【００６５】
ここで、上述したように、ライン周期が長い場合には少ない光量でも適切に画像を読み取ることが可能であるが、ライン周期が短い場合、適切に画像を読み取るためには光量を多くする必要がある。
【００６６】
そのため、最も長いライン周期を初期設定値として設定している場合、段階的にライン周期を短くしながら適切な光量を決定していくので、常に前回のライン周期において決定された光量以上となるはずである。そこで、予め定められた最も長い４００（μｓ）を、ライン周期の初期設定値として設定されている場合には、ステップＳ１１７において、ライン周期を順次短くし、ステップＳ１１１において、それぞれのライン周期において、光量を増加させることにより適切な光量を決定した。
【００６７】
しかしながら、本発明に係る実施例の画像読取り装置１では、最も短いライン周期を初期設定値として設定してもよい。
【００６８】
この場合、図２に示したフローチャートでは、ステップＳ１０３において、ライン周期として、設定可能な４００（μｓ）、３００（μｓ）、２００（μｓ）の中から、予め定められた最も短い２００（μｓ）を、ライン周期の初期設定値として設定する。そして、ステップＳ１１７において、ライン周期を順次長くし、ステップＳ１１１において、それぞれのライン周期において、光量を減少させることにより適切な光量を決定するようにしてもよい。
【符号の説明】
【００６９】
１…画像読取り装置
１０…制御部
１１…ライン周期設定部
１２…輝度算出部
１３…光量設定部
１４…記憶部
２０…プラテン
１００…読み取り部
１０１…発光素子
１０２…反射板
１０３…キャリッジ
１０４，１０５…反射板
１０６…集光レンズ
１０７…受光素子
１０８…受光部
２００…プラテン
２０１…濃度基準板
２０２…原稿読み取りグラス
【図１】
0006630137.tif 000002
【図２】
0006630137.tif 000003
【図３】
0006630137.tif 000004
【図４】
0006630137.tif 000005